(57)【要約】本発明は、住宅、職場および中央式加熱のいかなる場所に使用されるコンビボイラのメインカードのソフトウェアの運転システムへの革新に関する。メインカードは、当該革新とコンビボイラ節約装置と本発明にかかるメインカードのソフトウェアとを含み、コンビボイラ節約装置は、混式設備およびユーザに利用される現在のコンビボイラに対して発展される。コンビボイラは、ヒューズ（電気機器のヒューズ）（１）と、メインカード（メインカードのソフトウェアを含むコンビボイラ節約装置のメインカード）（２）と、気温を測定するセンサー（３）と、水流センサー（４）と、デジタル指示計（５）と、設定つまみ（６）と、オン・オフボタン（７）と、開始・停止ボタン（８）と、Ｔ１ボタン（９）と、Ｔ２ボタン（１０）と、コンビボイラ接続ケーブルとを備える。【特許請求の範囲】
【請求項１】
コンビボイラと外部から電気的に結合可能であって前記コンビボイラに電力を選択的に提供するまたは中断するメインカード（２）ユニットであって、前記メインカード（２）が前記コンビボイラの水循環ポンプの運転を選択的に可能とし、
前記メインカード（２）ユニットは、気温情報または気候プログラム設定に基づいて前記コンビボイラにより生成された熱エネルギーの量を計算し、前記コンビボイラと前記水循環ポンプが一定時間において無給電の状態であり続くことが終了する時に、次の熱生成および燃焼時間が初期化されるまで、前記コンビボイラに一定時間において運転させ、前記初期化は、前記水循環ポンプの無給電状態の時間と、前記熱生成および燃焼時間とが、前記気温情報に基づいて計算する方法で、または手動で設定された前記気候プログラム設定にしたがって所定期間とする方法で行われることを特徴とするメインカード（２）ユニット。
【請求項２】
前記水循環ポンプの無給電状態の時間と、前記熱生成および燃焼時間とは、ともに前記気温情報および手動で設定された前記気候プログラム設定に基づいて決められることを特徴とする請求項１に記載のメインカード（２）ユニット。
【請求項３】
前記メインカード（２）は周期的に継続的な温度測定を行う気温センサー（３）を備えることを特徴とする請求項１または２に記載のメインカード（２）ユニット。
【請求項４】
前記メインカード（２）ユニットは電力線により前記コンビボイラに接続する別個のユニットであることを特徴とする請求項３に記載のメインカード（２）ユニット。
【請求項５】
前記メインカード（２）ユニットは、作動状態であり続く前記コンビボイラの前記無給電のスリープモードの期間と、燃焼による熱生成が行われる期間とを計算することを特徴とする請求項１から請求項４のいずれかの１項に記載のメインカード（２）ユニット。
【請求項６】
前記水循環ポンプが焚く期間に運転させられるとの運転期間において、前記メインカード（２）ユニットは、前記コンビボイラを中断させることを特徴とする請求項５に記載のメインカード（２）ユニット。
【請求項７】
前記水循環ポンプは所定遅延をもって作動停止可能であることを特徴とする請求項６に記載のメインカード（２）ユニット。
【請求項８】
前記メインカード（２）ユニットは水流センサーに電気的に接続し、前記メインカード（２）ユニットが前記コンビボイラを通電する時に、前記水流センサーは前記スリープモードにおいて前記コンビボイラと連通する水流の情報を前記メインカード（２）ユニットに送ることを特徴とする請求項１から請求項７のいずれかの１項に記載のメインカード（２）ユニット。
【請求項９】
前記メインカード（２）ユニットは複数の気候プログラム設定ボタン（９、１０）を備え、各前記気候プログラム設定ボタン（９、１０）は、前記燃焼時間、水循環ポンプの運転時間、およびスリープモード時間の期間の設定の一定の組を作動させることを特徴とする請求項１から請求項８のいずれかの１項に記載のメインカード（２）ユニット。
【請求項１０】
請求項１に記載のメインカード（２）ユニットを備えることを特徴とするコンビボイラ。
【請求項１１】
前記メインカード（２）ユニットの前記メインカード（２）は別個に電気的に前記コンビボイラの空きスロットに取り付けていることを特徴とする請求項１０に記載のコンビボイラ。
【請求項１２】
前記メインカード（２）ユニットの前記メインカード（２）は前記コンビボイラの内部メインボードとして実現されることを特徴とする請求項１０に記載のコンビボイラ。
【請求項１３】
前記燃焼時間、水循環ポンプの運転時間、およびスリープモード時間の期間の設定を示す複数の気候プログラム設定ボタン（９、１０）は直接に前記コンビボイラに提供される
ことを特徴とする請求項１０から請求項１２のいずれかの１項に記載のコンビボイラ。
【請求項１４】
前記コンビボイラは時間遅延の開始・停止機能を含むボタンを備えることを特徴とする請求項１に記載のメインカード（２）ユニット。
【請求項１５】
前記複数の気候プログラム設定ボタン（９、１０）は単一のロータリースイッチボタンとして配置されていることを特徴とする請求項９に記載のメインカード（２）ユニット。
【請求項１６】
前記コンビボイラの無中断運転で即時の加熱を提供するために、前記メインカード（２）ユニットは、選択的に前記メインカード（２）を作動停止する専用の開始および停止ボタンを備えることを特徴とする請求項１に記載のメインカード（２）ユニット。
【請求項１７】
前記コンビボイラは専用の開始および停止ボタンを備えることを特徴とする請求項１０から請求項１２のいずれかの１項に記載のコンビボイラ。
【発明の詳細な説明】
【技術分野】
【０００１】
本発明は、住宅、職場およびセントラルヒーティングのいかなる場所に使用されるコンビボイラ（combi boiler）のメインカード（main card）のソフトウェアの運転システムへの革新に関し、現在のコンビボイラに独立的に設けられて本革新を含むコンビボイラ節約装置（Combi Boiler Saving Device）にかかる特性にも関する。
【背景技術】
【０００２】
現在の技術において、コンビボイラにおいて加熱機能が起動されると、コンビボイラは原則、すなわち、コンビボイラの継続運転を採用するロジックにしたがって運行し、それによって、（混式の水ポンプに対して調節機能を有し、運行原則が同様である）継続水循環ポンプモータは、放熱器における水を吸引ことにより水をコンビボイラに通過させて、水の温度を測定し、メインカードは水の温度がユーザに選択されるプログラムにおける温度値より低いと読み取る場合、コンビボイラは加熱機能を開始してシステムにおける水を加熱し、事前にメインカードに処理された測定範囲まで水を加熱するコンビボイラは継続役割を果たすように無限ループで運転し続ける。
【０００３】
現在のコンビボイラにおいて、放熱器にある戻り水の最低温度値は加熱されるべき環境の温度よりかなり高いので、コンビボイラが夏に運転されても、コンビボイラは加熱プロセスを開始して加熱されるべき環境の温度を上げ、追加的なエネルギー損失を生じる。
【０００４】
市場におけるすべてのコンビボイラは一定の範囲で運転され、放熱器から戻る水の温度は環境の温度よりかなり高い。例えば、加熱されるべき環境の理想温度は２４度から２８度であるが、現在のコンビボイラは、加熱されるべき環境の理想温度より高い３５度または４０度で作動し、給水を４０度、５０度またはさらに高い温度まで加熱し、給水を更なる高い温度になると、コンビボイラはスリープモードに入る。そのため、コンビボイラの煙突において加熱損失は増える。
【発明の概要】
【０００５】
本発明の表現に言及された文言の意味は下記通りに要約してもよい。
【０００６】
本発明にかかるメインカードとは、すべてのコンビボイラに設けられ、コンビボイラの中枢部を構成してコンビボイラに命令を下す電子回路である。本発明は下記のような改良をこの電子回路に加え、気温を測定するメインカードは測定された温度に基づいてコンビボイラに加熱機能または非加熱機能を行わせる。外気の冷たさがプログラムにおける所定値より低い場合、メインカードは、自動的にコンビボイラに加熱機能を行わせ、燃焼プロセスを開始し、コンビボイラのすべての設備をその間に運転させ、燃焼が終了時に水ポンプを止める。一部の実施の形態において、水ポンプは秒単位の遅延をもって停止され、メインカードは、プログラムに基づいて、ユーザに選択されたそのプログラムで気温を測定することによりコンビボイラを運転させ、コンビボイラの運転時間（燃焼時間）と水ポンプの停止時間とを決定し、このように無限ループで行う。
【０００７】
開始・停止ボタンとは、このボタンが押される時、コンビボイラはメインカードに決められる時間において継続運行され、この特性はコンビボイラ節約装置における熱水を使用するように開発されてきたが、新しく製造されたコンビボイラにメインカードを差し込むことにより使用可能である。休止状態から戻った時に住宅または関わる場所で急速に加熱するために、この機能は新しく製造されたコンビボイラのメインカードによりも使用可能な特性である。
【０００８】
Ｔ１、Ｔ２…ボタンとは、下記機能を有するボタンである。これらのボタンがソフトウェアを含み、ユーザがコンビボイラの運転プログラムを選択すると、そのコンビボイラの運転時間（燃焼時間）と水ポンプの停止時間（コンビボイラ節約装置におけるコンビボイラのすべての設備の停止時間）とが変更できるようになる。
【０００９】
コンビボイラの中枢部を構成するメインカード（電子カード）は販売されている。しかしながら、本発明に提出された機能的な特性を含むメインカード（電子カード）は未だに存在していない。本発明は新しく製造されたコンビボイラに適用なメインカードに提供され、この新しいメインカードは、現在ユーザに使用されるコンビボイラに対して独立な装置（コンビボイラ節約装置）においてコンビボイラに接続されているネットワークに一体的に組み込まれることにより、コンビボイラにおけるエネルギー節約装置として提供される。この範疇において、使用中のコンビボイラに対してコンビボイラ節約装置を異なる実施の形態で一体化することを狙い、コンビボイラのメインカードのソフトウェアの運転システムにおいてなした革新は、図面に示されるメインカードと追加の設備である代替解決策の形式の製品としてコンビボイラメーカーに提供される。このメインカード（電子カード）は新しく製造されたコンビボイラと一体化されてコンビボイラの内部で使用されてもよい。
【００１０】
本発明は、コンビボイラにおける気温を測定して、測定された気温にしたがってコンビボイラ（水循環ポンプを含む）の運転を開始させて停止させるという原則とを含む。現在のコンビボイラは継続水循環ポンプを運転状態に維持するため、放熱器とコンビボイラとの間の機器において膨大な熱損失が生じる。これらの機器が建物の外部の列線に配置され、コンビボイラにより加熱された熱水にあるエネルギーがブロックに吸収されて建物の外面および大気に伝導されるため、これらの機器は熱を吸収する。本発明にかかるメインカード（電子カード）は、コンビボイラを開始・停止の原則により運転させ、循環ポンプも停止し、機器における熱損失は大幅に軽減される。
【００１１】
本発明にかかるメインカード（電子カード）は、気温を測定することにより、コンビボイラがいくらの熱を生成すべきかを計算し、計算結果に基づいて、コンビボイラを一定時間において運転させ（コンビボイラは焚いている間に運転する）、次の熱生成時間まで（次の燃焼時間まで）水循環ポンプを停止させて現在のコンビボイラにおけるすべてのプロセスを実行する。コンビボイラ節約装置の実施の形態において、電流は一定時間において気温に基づいてコンビボイラに伝送される。冬の設定が選択された場合、期間においてコンビボイラの燃焼システムを作動させることにより、コンビボイラは熱エネルギーを生成する。ユーザに要求される熱エネルギーが提供される（燃焼の終了）場合、装置がコンビボイラ全体を作動させず、コンビボイラ節約装置が水循環ポンプを含むコンビボイラ全体を停止させる。メインカード（電子カード）のプログラムは、外部の気温に基づいて（水循環ポンプを含む）運転および中断範囲を決め、このプロセスを無限ループで続ける。
【００１２】
現在のコンビボイラに差し込まれるメインカード（電子カード）は、コンビボイラにおける熱損失を最小限にしてコンビボイラの煙突の熱損失を軽減することにより、エネルギー効率を高める。メインカードは気候転換の時期に膨大なエネルギー節約を提供し、特に煙突温度の引き下げを行う。春と秋において、外部の気温が少々低い時に、コンビボイラに生成されるように要求されるエネルギー量の低下のため、戻り水の温度が大きく下がり、熱はコンビボイラの内部の燃焼室における戻り水によく吸収され、煙突の温度が下がり、コンビボイラの効率が増加する。現在のコンビボイラの代わりに、このメインカード（電子カード）は、独立な装置（コンビボイラ節約装置）においてコンビボイラに接続されているネットワークに一体的に組み込まれることにより、コンビボイラの効率を向上させる。
【００１３】
本発明の範疇において、デジタルおよびアナログの装置は異なる実施の形態で考えてもよい。コンビボイラのメインカードのシステムによって、気密で凝縮のコンビボイラに吸収された気温によりプログラムを特定してもよい。コンビボイラの煙突の温度および外部の気温は、独立なセンサーおよび新しく製造されたコンビボイラと一体化されたメインカード（電子カード）により測定されてもよい。ソフトウェアは、気温を参考にして要求されるエネルギーに基づいてコンビボイラを運転させ、次にエネルギーが要求されるときまでコンビボイラの水循環ポンプを停止させるロジックを含み、コンビボイラの水循環ポンプが停止されることによって、エネルギーが節約される。
【００１４】
メインカード（電子カード）を含む装置は、電力線により現在のコンビボイラに適用されてよく、メインカードの特性を有する現在のコンビボイラのようなコンビボイラ節約装置として提供される。
【００１５】
コンビボイラ節約装置に使用されるメインカードのソフトウェアはユーザに要求されるエネルギー量を計算し、この時間において過渡的にコンビボイラを運転させる（焚いている間に水循環ポンプを運転させる）。ユーザが再び加熱を要求する時までコンビボイラの水ポンプを停止する原則を含むことは改良であり、ソフトウェアの運転システムはこのメカニズムにより運転する。水流センサーは、コンビボイラ節約装置における選択的な特性としてユーザに提供される特性であり、コンビボイラに使用される本発明にかかるメインカードの基本な特性である。
【００１６】
現在のコンビボイラは、継続水循環ポンプを運転させる原則により運転し、気温に基づくプログラムを含んでいない。現在のコンビボイラの一部の実施の形態において、水をコンビボイラの内部に凍結させなくコンビボイラを壊さないようなプログラムセットがあり、このプログラムはエネルギー節約との機能をコンビボイラに持たせない。気温を測定するサーモスタットが設けられているが、このプログラムの目的はコンビボイラにおける水が凍結しないように一定時間内にコンビボイラを運転させることである。このアプリケーションは本発明にかかるソフトウェアの特性と関係ない。また、一部のコンビボイラにおいて、ソフトウェアはポンプを停止するが、それは高温の環境において循環ポンプが熱で燃え出さないためである。このソフトウェアはエネルギー節約の目標を追求するものではなく、本発明にかかるアプローチにも関係ない。本発明にかかる製品およびメインカードのソフトウェアは、コンビボイラを利用し、現在のコンビボイラにおける電子カードのすべての機能を実行し、また、外部の気温を測定することにより生成すべき要求されるエネルギーを計算し、水ポンプを介してエネルギーを放熱器に伝導する時にスリープモードがどのくらい続くかを計算し、コンビボイラの循環モータを運転させない場合の天然ガスおよび電力消費量の観点からエネルギー節約を提供する。
【００１７】
メインカード（メインカードのソフトウェアを含む）および／またはそれに接続しているメインカード（電子カード）は、一定時間におけるコンビボイラの運転と循環モータの停止の運転を含む。
【００１８】
メインカード（電子カード）および／またはコンビボイラのメインカードのソフトウェアの運転システムに対してなした改良（メインカードのソフトウェアを含む）は、選択的なシステムソフトウェアを含む。選択的なシステムソフトウェアは、気温によりコンビボイラで生成されるべき要求されるエネルギーに基づいて、運転時間（燃焼時間）と停止時間（水循環ポンプを利用するコンビボイラの加熱を停止するロジックを含む）を決める。
【００１９】
メインカード（電子カード）がコンビボイラと一体化される場合または本発明にかかってこのソフトウェアを含む装置がコンビボイラに適用される場合、メインカード（電子カード）または装置は次の運転ロジックを含む。要求されるエネルギー量が生成されてコンビボイラの燃焼が選択的なメカニズムを介して停止した後、水循環ポンプが短い遅延をもって停止するアプリケーションによって、コンビボイラの燃焼室における放熱器（加熱バーナ）の表面に生じる腐食は軽減され、この部分の耐用年数は延長される。
【００２０】
コンビボイラのメインカードの選択的なシステムの改良によって、ユーザは、メインカード（電子カード）に設けられている前述ソフトウェア（燃焼時間と継続的でない時間を含むソフトウェア）を利用して、装置を切り替えるまたはＴ１、Ｔ２…ボタンを押すことにより、コンビボイラの運転条件を設定することができる。一部の実施の形態において、気候の条件に基づいて外部環境温度センサーによる冷却は利用されない。この特性は新しく製造されるコンビボイラに追加してもよい。
【００２１】
メインカード（電子カード）がコンビボイラに差し込まれる場合、メインカード（電子カード）は、コンビボイラにおいては困難なく利用でき、コンビボイラの内部の水流スイッチと、放熱器に設けられている水の温度を測定する熱センサーと、三方弁と、煙突センサーと、コンビボイラの他の設備とに直接的に接続して運転させてもよい。メインカード（電子カード）がコンビボイラに差し込まれる場合、含んだソフトウェアに基づいて循環モータを停止して需要のエネルギーを生成することにより、また、気温を測定することにより、エネルギー（天然ガスおよび電力）を節約する。本発明に基づいて、コンビボイラ節約装置は、電源を介してコンビボイラに適用され、現在のコンビボイラの全体的な電力を切断し、このプログラムに基づいてコンビボイラを運転させる。この場合、ユーザに熱水を使わせるために、オン・オフボタンは選択的な特性としてコンビボイラ節約装置において熱水の利用機能を作動させ、入口センサーは利用可能であってセンサーからの情報を有する電線内の電流をコンビボイラに送る。なお、入口センサーは、装置に依存して運行し、給水の入口に差し込まれる水流センサーからコマンド情報を読み出す。コンビボイラの水流センサーの使用に不便なコンビボイラのユーザに対して時間遅延を行い、開始・停止機能を含むボタンは利用されてもよい。メインカードを含んで図面に示されている製品は、新しく製造されるコンビボイラに適用されてもよく、気温センサーから情報を読み出して運転を定めてコンビボイラを中断することにより、コンビボイラに節約させてもよい。
【００２２】
メインカードのソフトウェアは新しく製造されるコンビボイラに設けられているメインカードのソフトウェアとされてもよい。さらに、これらの実施の形態はコンビボイラ節約装置の形式で製造される製品として現在に使われているコンビボイラに提供してもよい。必要があれば、前述ソフトウェアを含んで実施の異なる形態は国々の気候条件に基づいて製造されてもよい。
【図面の簡単な説明】
【００２３】
以下、本発明は例示のみをもって添付図面を参照しながら詳細に説明される。
【図１】本発明にかかるコンビボイラ節約装置および新しいコンビボイラに結合可能な第１の実施の形態のデジタルの実施の形態の略図
【図２】本発明にかかるコンビボイラ節約装置および新しいコンビボイラに結合可能な第２の実施の形態のデジタルの実施の形態の略図
【図３】本発明にかかるコンビボイラ節約装置および新しいコンビボイラに結合可能な第３の実施の形態のデジタルの実施の形態の略図
【図４】本発明にかかるコンビボイラ節約装置および新しいコンビボイラに結合可能な第１の実施の形態のアナログ・デジタルの実施の形態の略図
【図５】本発明にかかるコンビボイラ節約装置および新しいコンビボイラに結合可能な第２の実施の形態のアナログ・デジタルの実施の形態の略図
【図６】本発明にかかるコンビボイラ節約装置および新しいコンビボイラに結合可能な第３の実施の形態のアナログ・デジタルの実施の形態の略図
【発明を実施するための形態】
【００２４】
本発明において、コンビボイラのメインカードのソフトウェアの運転システムおよびこのソフトウェアを含むコンビボイラのメインカードに対して革新をし、コンビボイラのボタンおよびコンビボイラ節約装置は独立的にコンビボイラに結合可能である。コンビボイラは、住宅、職場および中央式加熱のいかなる場所に使用され、一般的にはヒューズ（電気機器のヒューズ）１と、メインカード（メインカードのソフトウェアを含むコンビボイラ節約装置のメインカード）２と、気温を測定するセンサー３と、水流センサー４と、デジタル指示計５と、設定つまみ６と、オン・オフボタン７と、開始・停止ボタン８と、Ｔ１ボタン９と、Ｔ２ボタン１０と、コンビボイラ接続ケーブルとを備える。
【００２５】
本発明にしたがうと、コンビボイラに適用されるメインカード（コンビボイラ節約装置のメインカード）２にあるソフトウェアによって、コンビボイラのメインカードのソフトウェアの運転システムは、気温を測定するセンサー３を利用して気温を連続的に測定することにより、コンビボイラの運転時間およびスリープ時間を決める。コンビボイラおよびコンビボイラの設備は、メインカード（メインカードのソフトウェアを含むコンビボイラ節約装置のメインカード）２から電力を得ることにより作動する。コンビボイラはソフトウェアに基づいて、図面に示されたメインカード（メインカードのソフトウェアを含むコンビボイラ節約装置のメインカード）２またはメインカード（メインカードのソフトウェアを含むコンビボイラ節約装置のメインカード）２を含む設備から電力を得ることにより加熱機能を果たす。
【００２６】
メインカード（メインカードのソフトウェアを含むコンビボイラ節約装置のメインカード）２は、コンビボイラ接続ケーブルを用いてコンビボイラの電力を中断することと外部の気温により、コンビボイラおよび関わる設備の運転（燃焼）を停止してもよい。メインカード２は無限ループでコンビボイラを停止（燃焼が行われない時に水ポンプを停止させる）と運転（焚いている間に水循環ポンプを運転させる）とのプロセスをさせ続いてもよい。ユーザが熱水を利用しようとする場合、水流センサー４は、熱水のためにメインカード２のソフトウェアにコマンドを出し、メインカードは電力をコンビボイラの関わるすべての設備に伝送してコンビボイラのすべての設備を運転させることにより、このプロセスを実行する（ユーザが熱水を必要とする場合、水流センサー４の装置は熱水のためにコマンドをコンビボイラ節約装置に送り、コンビボイラ節約装置はコンビボイラに給電することによりこのプロセスを実行する）。
【００２７】
コンビボイラ節約装置において、装置におけるオン・オフボタン７を介して装置を起動することにより、ユーザは熱水を必要とする限りにコンビボイラを作動／休止に維持してもよい。コンビボイラ節約装置はこのボタンを利用してもよく、このボタンは、熱水の利用に対して時間遅延をもつ開始・停止ボタン８との特性を有し、一定時間において連続的に運転するようにコンビボイラのすべての設備を使用可能とする。装置は装置に設けられたＴ１ボタン９とＴ２ボタン１０を介して２つの異なるモードで運転してもよい（これらのモードの利用は実施の形態に基づいて増やしてもよい）。この条件はデジタル指示器５で表示してもよい。
【００２８】
メインカード２においてコンビボイラ節約装置および新しいコンビボイラに利用されるＴ１ボタン９が押されると、メインカード２における暑い気候の地方のために用意されるソフトウェアは作動され、コンビボイラはこの地方の気候条件に基づいて運転してもよい。装置に設けられているＴ２ボタン１０が押されると、メインカード２にあって寒い気候の地方のために用意されるソフトウェアは作動され、コンビボイラはこの地方の気候条件に基づいて運転してもよい。この機能的な特性は、単一の機能に減少されてもよく、国々の気候条件に基づいて（Ｔ１、Ｔ２、Ｔ３…に）増やされてもよい。増減がある場合、Ｔ１ボタンの特性を装置が有さなくてもよい。これらの気候プログラム設定ボタン９、１０は単一のロータリースイッチボタンとして配置されてもよい。
【００２９】
新しく製造されるコンビボイラに適用されて本発明にかかる設備とメインカード２は、コンビボイラを開始・停止の原則により運転させる（焚いている間にコンビボイラを運転させて次の燃焼時間まで水ポンプを停止させるロジックによりさせる）ため、循環ポンプは停止し、機器における熱損失は大幅に軽減される。
【００３０】
本発明にかかる設備とメインカード２は、気温を測定するセンサーを用いて気温を測定することにより、コンビボイラがいくらの熱を生成すべきかを計算し、計算結果に基づいて、コンビボイラを一定時間において運転させ（コンビボイラの火炎燃焼稼働時間）、気温に基づいてユーザが再び加熱を要求して現在のコンビボイラのすべてのプロセスを実行する時まで、一定時間においてコンビボイラの水ポンプを停止する。コンビボイラ節約装置の実施の形態において、電流は一定時間において気温に基づいてコンビボイラに伝送する。コンビボイラ節約装置において、メインカード２は、外部の気温に基づいてコンビボイラの運転および中断（節約装置において水循環ポンプを含むすべてのコンビボイラの設備を停止する）期間を決め、このプロセスを無限ループで続ける。
【００３１】
新しく製造されるコンビボイラに適用できるメインカード２によって、コンビボイラにおける熱損失を最小限することによりエネルギー効率が増え、コンビボイラの煙突の熱損失が低減される。気候転換の時期にＴ１ボタン９とＴ２ボタン１０とを介して２つの異なるモードで運転するメインカード２によって、膨大なエネルギー節約が提供される。
【００３２】
現在のコンビボイラは継続水循環ポンプを運行する原則により運転し、気温に基づいて環ポンプを停止してまた運転するロジックを含んでいない。本発明にかかるメインカード２を現在のコンビボイラに適用する場合、電子カードのすべての機能を行い、本発明にかかる電子カードは、気温を測定するセンサーを用いて気温を測定することにより、さらにコンビボイラに生成されるように要求されるエネルギーを計算する。ユーザが再び加熱を必要とする時に、本発明にかかる電子カードは、スリープモードが続くとの時間はどのくらいかを計算してエネルギーを放熱器に送り、次の加熱期間までコンビボイラ水循環モータを作動させなく天然ガスおよび電力消費を節約するエネルギーを提供する。
【符号の説明】
【００３３】
１    ヒューズ（電気機器のヒューズ）
２    メインカード（メインカードのソフトウェアを含むコンビボイラ節約装置のメイ
ンカード）
３    気温を測定するセンサー
４    水流センサー
５    デジタル指示計
６    設定つまみ
７    オン・オフボタン
８    開始・停止ボタン
９    Ｔ１ボタン
１０  Ｔ２ボタン
【図１】
2018511027.tif 000002
【図２】
2018511027.tif 000003
【図３】
2018511027.tif 000004
【図４】
2018511027.tif 000005
【図５】
2018511027.tif 000006
【図６】
2018511027.tif 000007
【国際調査報告】
2018511027.tif 000008
2018511027.tif 000009